(57)【要約】      （修正有）【課題】弱い力で容易に、安全に、粘着シートを切断することが可能な清掃具を提供する。【解決手段】清掃具１は、巻き芯１１に巻き付けられた粘着シートを備える円筒形のロール体１０と、ロール体が軸回転可能となるように巻き芯の端部を枢支する支持脚２０と、支持脚からロール体の外周面に沿って配設されるカバー板３０を有する使用済みの粘着シートを切断したい位置において、カバー板の一端部を押し下げ、切断刃３３を粘着シートに押し当てる。カバー板に、切り込み３１と溝部３２を備えることにより切断刃が粘着シートに小さな力で当接しやすくなり切断刃に沿ってまっすぐに使用済みの粘着シートを破ることができる。【選択図】図１
0003231288.tif 000002
【実用新案登録請求の範囲】
【請求項１】
巻き芯に巻き付けられた粘着シートを備える円筒形のロール体と、
前記ロール体が前後に移動しながら軸回転可能となるように前記巻き芯の側端部を枢支する支持脚と、
前記支持脚から前記ロール体の外周面に沿って配設されるカバー板と、
前記カバー板の外面に取り付けられてなる持手と、を備え、
前記カバー板の側端は、前記支持脚との接続部から、前記ロール体の周方向に沿った形状に形成され、
前記カバー板の前後方向の一端部には、両側端の間にわたって前記ロール体の回転軸に沿って細幅の溝部が形成され、
前記カバー板は、前記溝部よりも一端側部分が前記ロール体の外周面に向かって曲屈してなる切断刃を形成すること
を特徴とする清掃具。
【請求項２】
前記溝部は、凹状の溝と凸状の溝とが周方向に対して交互に形成されてなる
ことを特徴とする溝部を有する請求項１に記載の清掃具。
【請求項３】
前記支持脚が前後に幅広に形成され、前記カバー板の側端と前記支持脚との間に切り込みが形成されてなる
ことを特徴とする請求項１または２に記載の清掃具。
【請求項４】
前記切断刃は、鋭利状に形成される
ことを特徴とする請求項１から３のいずれか１つに記載の清掃具。
【請求項５】
請求項１から４のいずれか１つに記載の前記清掃具を構成する前記ロール体を収納可能なケース本体を有する
ことを特徴とする収納ケース。
【請求項６】
前記ケース本体は、底板の側辺から垂直に立設されてなる側壁と、
収納された前記ロール体の周面に対向するように前記底板前後辺から垂直に立設されて前記側壁に連接してなる前後壁と、
上端に前記ロール体を挿し入れ可能な開口部を備えてなる
ことを特徴とする請求項５記載の収納ケース。
【請求項７】
前記前後壁は、内面に前記カバー板の側端に沿って嵌合可能な突起を有する
ことを特徴とする請求項６に記載の収納ケース。
【請求項８】
前記側壁は、前記ロール体の支持脚の前後端と突き合わせて係合可能とする挿し込み溝を有する
ことを特徴とする請求項６または７のいずれか１つに記載の収納ケース。
【請求項９】
前記前後壁は、外面に引っ掛け部を有する
ことを特徴とする請求項６から８のいずれか１つに記載の収納ケース。
【考案の詳細な説明】
【技術分野】
【０００１】
本考案はロール状のロールによってごみや塵を粘着させて清掃する清掃具及び、その収納ケースに関する。
【背景技術】
【０００２】
ロール状の粘着シートロールを回転可能に保持するとともに、この粘着シートロールを床やカーペット等の被清掃面上で転がすことで塵やごみ等を粘着させて清掃を行うものとして、例えば下記［特許文献１］に開示されたような粘着式清掃具がある。このような粘着式清掃具は、食べかすなど一寸したごみをとる場合や電気掃除機で除去しきれないゴミや塵や埃などを除去する場合に使用されることがある。
【０００３】
さらに、粘着式清掃具を使用した後に粘着シートロールにゴミや塵や埃などがついた粘着シートを切断して破棄し、内側の未使用の粘着シートロールを露出させることができるものとして、下記［特許文献２］には、粘着シートロールを簡単に切断できるようにミシン目が形成された粘着シートロールが開示されている。下記［特許文献３］には粘着シートロールを目的の位置で簡単に且つきれいに切断することが可能な粘着式清掃具がある。
【先行技術文献】
【特許文献】
【０００４】
【特許文献１】特開２００３−２６５４０１号公報
【特許文献２】特開２００１−２１８７２６号公報
【特許文献３】実用新案登録第３１８５４２６号公報
【考案の概要】
【考案が解決しようとする課題】
【０００５】
しかし粘着式清掃具に切断刃を有していても粘着シートを切断する際に前記（特許文献３）のようにカバー部の持ち手部側と長辺縁部との間にスリットが設けられていると切断部を押し下げる力を軽減することができるものの、カバー部を押し下げた指が弾性によってカバー部が戻ろうとする際に、前記スリットに挟まってしまい、切断刃の押し下げ動作が確実に行うことができないという問題点がある。また、前記スリットに指を挟んでしまうことは、女性、子供、老人などの指が細い人に起こりやすい。
【課題を解決するための手段】
【０００６】
上記課題を解決するための手段として本考案に係る清掃具は、巻き芯に巻き付けられた粘着シートを備える円筒形のロール体と、前記ロール体が前後に移動しながら軸回転可能となるように前記巻き芯の側端部を枢支する支持脚と、前記支持脚から前記ロール体の外周面に沿って配設されるカバー板と、前記カバー板の外面に取り付けられてなる持手と、を備え、前記カバー板の側端は、前記支持脚との接続部から、前記ロール体の周方向に沿った形状に形成され、前記カバー板の前後方向の一端部には、両側端の間にわたって前記ロール体の回転軸に沿って細幅の溝部が形成され、前記カバー板は、前記溝部よりも一端側部分が前記ロール体の外周面に向かって曲屈してなる切断刃を形成することを特徴とする。
【０００７】
前記カバー板の側端には、前後に幅広に形成される前記支持脚と、前記カバー板の側端との間に切り込みが形成されてなることをことが好ましい。前記切り込みは片端の接続部にのみ形成されていても両端の接続部に形成されていても良いが両端に形成されていることが好ましい。切り込みを有することによって左右に幅広な支持脚を形成した場合であっても押し下げ可能な切断刃を有することができる。
【０００８】
前記細幅の溝部は、連続して直線形成されていることが好ましい。スリットのようにカバー板を貫通していないため指の肉が挟まらず痛みなく切断刃の押し下げを確実に行える。この形態によると、切断刃に均等に力が加えることができ、さらに、簡単に且つ刃に沿ってまっすぐに粘着シートを切断することができる。
さらにまた、前記切り込みと前記溝部とを合わせて具備することでより切断刃を押し下げるために要する力を軽減することができる。
【０００９】
前記溝部は、凹状の溝と凸状の溝とが周方向に対して交互に形成されてることが好ましく、凸状の溝と凹状の溝の順番でもよい。さらにまた、凹状の溝と凸状の溝が単体形成されていてもよい。
この形態によると溝部が、より柔軟な弾性を有し切断刃に力が加わりやすくなり刃に沿ってまっすぐに粘着シートを切断することができる。
【００１０】
さらに、前記切断刃は、鋭利状に形成されることとしても好ましい。上記鋭利状とは、切断刃の先端が尖っている形状が好ましい。この形態によると、粘着シートを容易に切断することができる。
【００１１】
また、前記清掃具を構成する前記ロール体を収納可能なケース本体を有することを特徴とする収納ケースを備えることとしても好ましい。
【００１２】
前記ケース本体は、底板の側辺から垂直に立設されてなる側壁と、収納された前記ロール体の周面に対向するように前記底板前後辺から垂直に立設されて前記側壁に連接してなる前後壁と、上端に前記ロール体を挿し入れ可能な開口部を備えてなることを特徴とする。
【００１３】
さらに、前記前後壁は、内面に前記カバー板の側端に沿って嵌合可能な突起を有するものであっても好ましい。
【００１４】
前記突起は、前記前後壁の上端部に形成されていてもよいが、底面に向かって長尺に形成されていることが好ましい。前記カバー板の側端に沿って嵌合を確実とするためである。
この形態によると、ロール体を収納する際に清掃具の切り込みを前記突起に沿わせることができるので安定してロール体を収納ケースに位置決めすることが容易になる。
【００１５】
さらにまた、前記側壁は、前記ロール体の支持脚の前後端と突き合わせて係合可能とする挿し込み溝を有することとしても好ましい。
【００１６】
また、前記前後壁は、外面に引っ掛け部を有することとしても好ましい。
【００１７】
前記引っ掛け部は１つでもよいし複数あってもよい。この形態によると、本考案を置く場所がなくとも引っ掛け部により網や棚に掛けることができ場所を取らず片付けができる。
【考案の効果】
【００１８】
本考案に係る粘着式清掃具の開示によれば、粘着シートを切断するために設けられた切断刃を粘着シートロールに当接させて切断することが、小さい力でも容易にできる。
【００１９】
また、小さな力で粘着シートを目的の位置で刃に沿ってまっすぐ切断することが可能となる。
【００２０】
さらには、カバー板に形成された溝部はスリットのようにカバー板を貫通していないため、指が挟まることはなく痛みなく切断刃の押し下げを確実に行え、粘着シートを切断することができる。
【００２１】
さらに、カバー板と支持脚との間に切り込みを形成することで、左右に幅広な支持脚を形成した場合であっても押し下げ可能な切断刃を有することができる。
【００２２】
また、ロール体を収納ケースに容易に位置決めすることができる。
【００２３】
さらにまた、ロール体を収納した収納ケースの置き場所を取らずに片づけることができる。
【図面の簡単な説明】
【００２４】
【図１】本考案に係る一実施形態に係る清掃具１を表す斜視図
【図２】本考案に係るロール体１０を装着した状態の正面図
【図３】本考案に係る清掃具１を収納ケース６０に収納した場合における斜視図
【図４】本考案に係る清掃具１を収納ケース６０に収納した場合におけるＡ−Ａ断面図
【図５】本考案に係るロール体１０を外した状態の清掃具１を表す斜視図
【図６】本考案に係る溝部３２の状態の変形例を表す図
【図７】本考案に係る清掃具１を収納ケース６０に入れた収納例を表す図
【図８】本考案に係る収納ケース６０における斜視図
【考案を実施するための形態】
【００２５】
以下、本考案に係る実施の形態を、図を参照しながら詳しく説明する。なお、本明細書及び図面において、実質的に同一の機能構成を有する構成要素については、同一の符号を付することにより重複説明を省略する。
【００２６】
図１は、本考案の一実施形態に係る清掃具１の斜視図である。
【００２７】
図１に示す清掃具１は、巻き芯１１に巻き付けられた粘着シート５０を備える円筒形のロール体１０と、ロール体１０が清掃具１を前後に移動させながら軸回転可能となるように巻き芯１１の側端部を枢支する支持脚２０と、支持脚２０からロール体１０の外周面に沿って配設されるカバー板３０を有する。カバー板３０の外面には上方に延出して取り付けられてなる棒体状の持手４０が設けられてなる。カバー板３０の側端は、支持脚２０との接続部１３からロール体１０の周方向に沿った形状に形成され、本実施形態において、カバー板３０の側端と左右の支持脚２０との間には、ロール体１０の周方向に沿って前方の一端が開放されてなる切り込み３１が形成されてなる。カバー板３０の前方の一端部には、左右切込みの間にわたってロール体１０の回転軸に沿って細幅の溝部３２が形成されてなる。カバー板３０には、溝部３２よりも前方側部分がロール体１０の外周面に向かって下方に曲屈してなる切断刃３３が形成されている。なお、本考案において、粘着シート５０の材質や形状、切り離し位置をあらわすミシン目などの構造などは任意的な構成要素であり、特に限定されない。
【００２８】
ロール体１０を支持脚２０に軸回転可能に支持するにあたって本実施形態によると、巻き芯１１と支持脚２０とを連結させるための連結部材であるキャップ２２がロール体１０の端部開口端に嵌め込まれている。図５に示すように支持脚２０には、キャップ２２を装着させる軸受け孔２１が設けられている。当該軸受け孔２１にキャップ２２の外側面に形成されてなる凸部を嵌め込むことでキャップ２２と支持脚２０が装着されてなる。ロール体１０は、このキャップ２２により清掃具１から付け外しができる。
【００２９】
図１に示すように、支持脚は前後に幅広に形成されていてもよく、カバー板３０の側端と支持脚２０との間には、ロール体１０の周方向に沿って前方の一端が開放されてなる切り込み３１が形成される。そのため、カバー板３０の前方の一端部がロール体１０の表面に向かって屈伸動作をすることができる。
【００３０】
カバー板３０は、図２に示すように、左右の支持脚２０の間を平面視短形板状に形成されている。この実施形態においてカバー板３０の中央部分に持手４０が立設されてなる。持手４０は、使用者が把持して清掃を行うためのものであり、例えばプラスチック等の合成樹脂で形成されている。
【００３１】
そして、カバー板３０は、その両側端の間にわたって溝部３２を有している。図５に示すように、本実施形態では、溝部３２は左右の切り込み３１の間をロール体１０の回転軸に沿って細幅の直線状に連結して形成されてなる。溝部３２は、切り込み３１のどの前後位置から形成されてもよいが、本実施形態の図５のように切り込み３１の奥端部３１ａの位置から形成することが好ましい。
さらに、図６ｃに示すように、溝部３２は凸状の溝３２ｂ、又は図６ｂに示すように、凹状の溝３２ａが単体で形成されていてもよいが、図６ａに示すように、溝部３２は凸状の溝３２ｂ及び凹状の溝３２ａが周方向に交互に形成されていることが好ましい。図６ａのように形成することによって、溝部３２に上下方向に対して均一な弾性ができ切断刃３３を押し下げた際にロール体１０に対して均等に力が加わる。また、上下方向に屈伸を切り返す溝部３２への機械的なストレスを分散させることができる。そのため、小さい力でも切断刃３３をロール体１０に押し下げて切断刃３３に沿って粘着シート５０をまっすぐに切断可能となる。さらには、切断刃を押し下げる力を軽減するために、カバー板３０を貫通する穴からなるスリットを形成する必要がないため、切断刃３３を押し下げる際に指の肉が挟まることもなく粘着シート５０を確実に切断ができる。
【００３２】
図４に示すように、切断刃３３は溝部３２から周方向に向かって下方に曲屈して形成される。切断刃３３の形状は限定されないが鋭利状であることが好ましい。切断刃３３が鋭利状であれば切断刃３３を押し下げてロール体１０に押し当てその際単位面積当たりの圧力を大きくすることができるため、切断刃３３による粘着シート５０の切断が容易になる。切断刃３３は、清掃時においてはロール体１０の表面から上方に離間した位置に先端があってロール体１０には、当接しない。そのため、切断刃３３とロール体１０には所定の隙間が形成されるため粘着シート５０の切断時以外は切断刃３３がロール体１０の回転を阻害することはない。
【００３３】
次に、清掃具１の使用方法を説明する。先ず始めに、清掃具１を後述する収納ケース６０から取り出す。本実施形態では、ロール体１０に連結部材であるキャップ２２により粘着シート５０を取り付ける。この時、粘着シート５０の設置方向は切断刃３３の側に切れ目がくるようにすることが望ましい。次にユーザーが持手４０をつかみ、粘着シート５０を被清掃面で前後方向に動かすことで被清掃面上の塵、ごみ等は粘着シート５０最外周面の粘着面に貼着し清掃ができる。粘着シート５０の粘着力が低下すると使用者は使用済みの粘着シート５０を剥がし未使用の粘着シート５０を露出させるその際に、使用済みの粘着シート５０を切断したい位置において、カバー板３０の一端部を押し下げ、切断刃３３を粘着シート５０に押し当てる。そして切断刃３３に沿ってまっすぐに使用済みの粘着シート５０を破ることで切断でき、未使用の粘着シート５０を露出させることできる。
最後に、切断刃３３の押し下げを解除し、切断された粘着シート５０を破棄することで塵やごみも同時に処理できる。
【００３４】
さらに本考案にかかる清掃具１は、図３に示すように清掃具１を収納する収納ケース６０を備えていてもよい。収納ケース６０はケース本体７０を有する。前記収納ケース６０を構成するケース本体７０に前記清掃具１を構成する前記ロール体１０を収納可能である。前記ケース本体７０は、底板７４の側辺から垂直に立設されてなる側壁７１と、収納された前記ロール体１０の周面に対向するように前記底板７４前後辺から垂直に立設されて前記側壁７１に連接してなる前後壁７２と、上端に前記ロール体１０を挿し入れ可能な開口部７３を備える。側壁７１には、前記ロール体１０の支持脚２０の前後端２０ａと突き合わせて係合可能とする挿し込み溝７１ａが形成されている。また、前記前後壁７２の内面には、前記切り込み３１と嵌合可能な突起７２ａが形成されてなる。さらに、ケース本体７０の前記前後壁７２の外面には、引っ掛け部７２ｂが形成されている。
【００３５】
側壁７１には、挿し込み溝７１ａが設けられている。前記挿し込み溝７１ａは、前記ロール体１０の支持脚２０の端縁と突き合わさるように構成されている。前記突起７２ａと前記挿し込み溝７１ａが構成されることで清掃具１の位置決めや固定をより確実に行うことができる。
【００３６】
また、ケース本体７０の側壁７１の挿し込み溝７１ａに清掃具１の支持脚２０をはめ込んで位置決めすることで、ロール体１０をケース本体７０内で空中状態に保持することができる。これにより、側壁７１や前後壁７２にロール体１０の表面が当接することなく容易にケース本体７０から清掃具１を取り出すことができる。さらには粘着シート５０の粘着力の低下を防止できる。
【００３７】
ケース本体７０の前後壁７２の一方の内面には、突起７２ａが設けられている。突起７２ａは、図３に示すように切り込み３１に嵌合可能に形成されてなる。突起７２ａの長さは、切り込み３１の長さよりも短い。これにより、突起７２ａが切り込み３１に嵌合することができ清掃具１をケース本体７０に収納するために支持脚２０を挿し込み溝７１ａに差し込もうとする際、清掃具１の位置決めや固定が容易になり収納ケース６０から清掃具１が落ちる心配も低減される。
【００３８】
ケース本体７０の一方の前後壁の外面に引っ掛け部７２ｂが設けられている。引っ掛け部７２ｂは、下向きに開放されてなる鉤状に形成されている。これにより、図７に示すように、網や棚などの側面に引っ掛けることができるためで収納ケース６０及び清掃具１を、腰をかがめることなく収納できる位置に保持しておくことができる。
【００３９】
次に、清掃具１の使用方法を説明する。まず初めに、清掃具１の使用後、ケース本体７０の側壁７１の差し込み溝７１ａに支持脚２０の前後端２０ａを挿入し突起７２ａが切り込み３１に嵌合するように収納する。その後、網や棚の側面に引っ掛け部７２ｂをかけて収納する。また、収納ケース６０を網や棚に引っ掛けた状態のまま清掃具１を取り出すことができ、さらにまた、収納したりすることも可能である。
【００４０】
なお、上記に示した清掃具１は、一例であるから清掃具１の各部の形状・寸法・機構等はこれに限定されることなく本考案は本考案の要旨を逸脱しない範囲で変更して実施することができる。
【符号の説明】
【００４１】
１  清掃具
１０  ロール体
１１  巻き芯
１３  接続部
２０  支持脚
２０ａ  前後端
２１  軸受け孔
２２  キャップ
３０  カバー板
３１  切り込み
３１ａ  奥端部
３２  溝部
３２ａ  凹状の溝
３２ｂ  凸状の溝
３３  切断刃
４０  持手
５０  粘着シート
６０  収納ケース
７０  ケース本体
７１  側壁
７１ａ  挿し込み溝
７２  前後壁
７２ａ  突起
７２ｂ  引っ掛け部
７３  開口部
７４  底板
【図１】
0003231288.tif 000003
【図２】
0003231288.tif 000004
【図３】
0003231288.tif 000005
【図４】
0003231288.tif 000006
【図５】
0003231288.tif 000007
【図６】
0003231288.tif 000008
【図７】
0003231288.tif 000009
【図８】
0003231288.tif 000010